(57)【要約】【課題】この発明は、防鳥ネットなどの建築用金網を容易に取り付けることができる建築用金網保持部材の提供を目的とする。【解決手段】上記の目的を解決するために、この発明の建築用金網保持部材１は、帯状に伸びた第１板状部２と、所定の隙間を挟んで第１板状部２に対向する第２板状部３と、第１板状部２と第２板状部３の間に形成された溝部４を有し、第１板状部２および第２板状部３には溝部４へ向いて突き出た複数の突起５が建築用金網保持部材１の長さ方向に沿って設けられている。【選択図】図２
2011169087.tif 000002
【特許請求の範囲】
【請求項１】
帯状に伸びた第１板状部と、所定の隙間を挟んで第１板状部に対向する第２板状部と、第１板状部と第２板状部の間に形成された溝部を有し、第１板状部および第２板状部には溝部へ向いて突き出た複数の突起が長さ方向に沿って設けられている建築用金網保持部材。
【請求項２】
ボルト通し穴が設けられている請求項１に記載の建築用金網保持部材。
【請求項３】
請求項１または請求項２に記載の建築用金網保持部材を有する建築用金網部材であり、多角形のクリンプ金網を有し、少なくとも対向する２辺に前記建築用金網保持部材が取り付けられている建築用金網部材。
【請求項４】
前記クリンプ金網には亜鉛‐アルミニウム合金めっきおよびポリエステル樹脂焼付け塗装が施されている請求項３に記載の建築用金網部材。
【発明の詳細な説明】
【技術分野】
【０００１】
この発明は、建築用金網の取り付けに関するものであり、たとえば通風口内の防鳥ネットの取り付けなどに適した技術に関する。
【背景技術】
【０００２】
建築物の通気窓としてガラリとよばれる構造が用いられている。これは、平行な複数の羽根を斜めに備えて通気性を設けたものであり、内部にはクリンプ金網などの防鳥ネットが設けられている。このガラリ枠では、建築物に取り付ける前に、サッシ枠に防鳥ネットや羽根などが工場で組みつけられる。ここで、防鳥ネットの取り付け方として、特許文献１には防鳥ネットをワッシャとビスで取り付け部に固定することが記載されている（０００９段落、図１〜図４）。また、事前に溶接によって防鳥ネットと固定枠を接続してサッシ枠に固定する方法も用いられている。
【先行技術文献】
【特許文献】
【０００３】
【特許文献１】特開２０００−１０４４６９号公報
【発明の概要】
【発明が解決しようとする課題】
【０００４】
防鳥ネットを平板とワッシャとビスで取り付け部に固定したり、前工程にて固定用平板と防鳥ネットを溶接によって固定するなど、従来行われてきた防鳥ネットの固定方法は手間がかかるものである。これらは、手作業で行われるため、サッシ枠の組み立て作業において大きな負担となっていた。
【０００５】
また、溶接による固定の場合、適用できる防鳥ネットに限定がある。たとえば、合成樹脂でコーティングしたクリンプ金網や事前に塗装されたクリンプ金網あるいは溶接金網などは、溶接をすることができない。
【０００６】
この発明は、防鳥ネットなどの建築用金網を容易に取り付けることができる建築用金網保持部材の提供を目的とする。
【課題を解決するための手段】
【０００７】
上記の目的を解決するために、この発明の建築用金網保持部材は、帯状に伸びた第１板状部と、所定の隙間を挟んで第１板状部に対向する第２板状部と、第１板状部と第２板状部の間に形成された溝部を有し、第１板状部および第２板状部には溝部へ向いて突き出た複数の突起が長さ方向に沿って設けられている。さらに、ボルト通し穴が設けられていることが好ましい。溝部の底に水抜き穴を設けて、溝部内に水がたまらないようにすることもできる。
【０００８】
また、この発明の建築用金網部材は、上述の建築用金網保持部材と多角形（たとえば、長方形、台形、三角形など）のクリンプ金網を有し、少なくとも対向する２辺に前記建築用金網保持部材が取り付けられている。
【発明の効果】
【０００９】
この発明の建築用金網保持部材は、第１板状部と第２板状部の間に形成された金網挿入溝部に金網を挿入するだけで、簡単に金網を保持することができる。こうして、建築用金網保持部材を取り付けられた建築用金網部材は、容易にサッシ枠や建築物へ取り付けることができる。建築用金網の材料による制約はなく、溶接ができないような金網にも適用できる。
【図面の簡単な説明】
【００１０】
【図１】建築用金網保持部材を示す正面図である。
【図２】同側面図である。
【図３】同底面図である。
【図４】建築用金網部材を示す正面図である。
【図５】建築用金網部材の別の例を示す正面図である。
【図６】建築用金網保持部材を建築用金網に取り付けた状態を示す断面図である。
【図７】建築用金網をガラリに取り付けた状態を示す断面図である。
【発明を実施するための形態】
【００１１】
この発明を実施するための形態について図面に基づいて説明する。図１は建築用金網保持部材を示す正面図、図２は同側面図、図３は同底面図である。
【００１２】
建築用金網保持部材１は全体として直線状に長く延びた形状の部材である。帯状に伸びた第１板状部２と、所定の隙間を挟んで第１板状部２に対向する第２板状部３と、第１板状部２と第２板状部３の間に形成された溝部４を有する。第１板状部２と第２板状部３は一方の辺部（図１、図２において上側の辺部）においてはつながっていて、他方の辺部は離れている。したがって、図２に示すように略Ｕ字状の断面を有する。
【００１３】
第１板状部２および第２板状部３には溝部４へ向いて突き出た複数の突起５が、建築用金網保持部材１の長さ方向に沿って設けられている。この例では、溝底からの高さを一定にして、１列に突起５は並んでいるが、２列以上であってもよい。突起同士の間隔は一定になっている。また、第１板状部２と第２板状部３の突起は交互に並んでおり、開口部から見て千鳥状になっている。
【００１４】
また、この例の建築用金網保持部材１にはボルト通し穴６が設けられている。このボルト通し穴６は、第１板状部２および第２板状部３を貫通しており、固定用のボルトを通すことができる程度の大きさを有する。さらに、溝部４の底に水抜き穴８が設けられていて、溝部４内に水がたまらないようになっている。
【００１５】
建築用金網保持部材１の寸法には特に限定はなく、保持すべき建築用金網の形状に基づいて適宜選択することができる。たとえば、線径１．６ｍｍ、開き目１５ｍｍのクリンプ金網の場合、高さＨは１０〜４０ｍｍ程度、溝部の幅Ｗは２〜３ｍｍ程度とし、厚さ０．６〜１．２ｍｍ程度の金属板で形成することができる。長さＬは、取り付ける対象の建築用金網の辺の長さに基づいて設定すればよい。また、突起の高さ（突出し量）は１〜２ｍｍ程度であり、５０〜１５０ｍｍの間隔で、溝底から１０〜２０ｍｍの位置に形成されている。素材としては亜鉛アルミニウム合金めっき鋼鈑、亜鉛・アルミニウム・マグネシウム合金めっき鋼鈑、亜鉛めっき鋼板やこれらのめっき鋼鈑に塗装を施した鋼板、あるいは、ステンレス板などが使用できる。
【００１６】
つぎに、建築用金網保持部材１の製造方法の例について説明する。まず、建築用金網保持部材１の高さＬの２倍より若干大きい幅の帯状の金属板を準備し、この金属板に突起を形成する。こうして突起が形成された金属板を、その幅方向の中心線に沿って、突起が内側を向くように折り曲げる。
【００１７】
たとえば、建築用金網保持部材１の長さを有する帯状の金属板にプレスで突起を形成し、さらに、プレスで折り曲げることができる。また、帯状の金属を突起が形成されたローラに連続的に通して突起を形成し、さらに、Ｕ字型の口金を通して、折り曲げてもよい。
【００１８】
建築用金網保持部材を適用した建築用金網部材について説明する。図４は建築用金網部材を示す正面図である。建築用金網７は多角形（たとえば、長方形、台形、三角形など）のクリンプ金網であり、この例では長方形である。このクリンプ金網７の少なくとも対向する２辺に建築用金網保持部材が取り付けられる。たとえば上下や左右の２辺のみでもよい。ここでは、長方形のクリンプ金網７の４辺のすべてに建築用金網保持部材１が取り付けられていて、建築用金網保持部材１はその両端部が長さ方向に対して４５°の角度に切り取られた形状になっている。あるいは、図２に示すような両端部が直角に切られた形状の建築用金網保持部材を使用し、図５に示すように取り付けてもよい。
【００１９】
クリンプ金網について説明する。折曲げ加工により波状になった金属線を交互に組み合わせた金網であり、その大きさは取り付ける対象の排気口やガラリ枠などの大きさによる。代表的な例として、線形１．６ｍｍで、開き目は１０ｍｍ、１５ｍｍ、２０ｍｍなどが使用できる。
【００２０】
クリンプ金網の素材としてはステンレス鋼材などでもよいが、ここでは、鋼線に亜鉛‐アルミニウム合金めっきおよびポリエステル樹脂焼付け塗装をほどこしたものの例を説明する。鉄素線に亜鉛‐アルミニウム合金めっき処理した後、塗装した処理として化成処理を行い、下塗り焼付け塗装１回、更にポリエステル樹脂焼付け塗装を行ったものである。耐熱性の塗料で塗装することにより、燃焼による発火が生じなくなる。また、非塩化ビニル樹脂を使用するのでダイオキシンを発生させず、環境ホルモンの疑いのある物質は含まれていない。
【００２１】
図６は建築用金網保持部材を建築用金網に取り付けた状態を示す断面図である。建築用金網７の縁部を建築用金網保持部材１の溝部４に挿入するだけで、簡単に取り付けることができる。溝部４に突出した突起５が建築用金網７を両方向から押し付けるので、建築用金網７は安定した状態で保持される。ここで、建築用金網７が全く動かないような固定のほか、網の目の大きさの範囲内でスライドできるような緩やか固定でもよい。このようにして、建築用金網保持部材１が取り付けられた建築用金網７は、その後の工程を容易にするので、付加価値の高い建築用金網部材となる。
【００２２】
図７は建築用金網をガラリに取り付けた状態を示す断面図である。この例では、建築用金網保持部材１にボルト通し穴６が設けられているので、このボルト通し穴６にボルトを通して、サッシ枠や建築物の通気口などに簡単に取り付けることができる。たとえば、ガラリ１１に取り付ける場合、従来方法では、板を当ててビス１２で枠材１３に固定していた。この発明を適用した場合、図７に示すように建築用金網保持部材１にビス１２を通して、ガラリ１１の枠材１３に簡単に固定できる。建築用金網７が溶接できないような材料のものであっても、亜鉛アルミニウム合金めっき鋼鈑、亜鉛・アルミニウム・マグネシウム合金めっき鋼鈑、亜鉛めっき鋼板やこれらのめっき鋼鈑に塗装を施した鋼板、あるいは、ステンレス板などで建築用金網保持部材１を作れば、容易に固定することができる。
【符号の説明】
【００２３】
１．建築用金網保持部材
２．第１板状部
３．第２板状部
４．溝部（建築用金網挿入溝）
５．突起
６．ボルト通し穴
７．建築用金網（クリンプ金網）
８．水抜き穴
１０．建築用金網部材
【図１】
2011169087.tif 000003
【図２】
2011169087.tif 000004
【図３】
2011169087.tif 000005
【図４】
2011169087.tif 000006
【図５】
2011169087.tif 000007
【図６】
2011169087.tif 000008
【図７】
2011169087.tif 000009
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
クリンプ金網を保持するための部材であって、帯状に伸びた第１板状部と、所定の隙間を挟んで第１板状部に対向する第２板状部と、第１板状部と第２板状部の間に形成された溝部を有し、第１板状部および第２板状部には溝部へ向いて突き出た複数の突起が長さ方向に沿って設けられていて、突起をクリンプ金網の両方向から押しつけてクリンプ金網を保持するようになした建築用金網保持部材。
【請求項２】
クリンプ金網を保持しガラリの枠体に取り付けるための部材であって、ボルト通し穴が設けられている請求項１に記載の建築用金網保持部材。
【請求項３】
請求項１または請求項２に記載の建築用金網保持部材を有する建築用金網部材であり、多角形のクリンプ金網を有し、少なくとも対向する２辺に前記建築用金網保持部材が取り付けられている建築用金網部材。
【請求項４】
前記クリンプ金網には亜鉛‐アルミニウム合金めっきおよびポリエステル樹脂焼付け塗装が施されている請求項３に記載の建築用金網部材。